(57)【要約】【課題】  犬等の足の肉球が創傷、病症に至った場合、外科的処置の消毒や継続的治療の軟膏等の塗布を施した後に犬等の肉球を直接保護、被覆するものはなく、処置後犬等自ら肉球を舐めてしまい清潔に保護することが難しく、軟膏などの効果も持続できず、又処置後に歩き周り床や家具などを汚たり、肉球自体にもゴミや雑菌が付着しやすく、排泄時の汚染などと、二次感染が心配される。【解決手段】  本発明の犬等の肉球創傷被覆カバーは、処置後の犬等の肉球に直接触れる足底部に保護、被覆材を使用した多層構造とし、足底部を固定するための包帯を足首に設け足底部から足首までを包み込むように履物状に取り付け一体化し、装着を簡素化した被覆カバーであり肉球の処置後の清潔、早期完治、二次感染防止を目的する犬等の肉球創傷被覆カバーである。【選択図】図１
2015149983.tif 000002
【特許請求の範囲】
【請求項１】
犬等の動物の足の肉球に創傷、病症があり、肉球を保護し被覆する被覆カバーにおいて、該動物の肉球が床あるいは地面に接する被覆カバーの足底部を多層構造とし、該被覆カバーを固定すべく足首部に包帯を設け、肉球部から足首までを包み込むように履物状にして多層足底部と足首部の包帯を一体化させたことを特徴とする犬等の肉球創傷被覆カバー。
【請求項２】
前記肉球が、肉球が当たる足底部を三層構造とし、肉球が接する上層部を血液、浸湿液を吸収する柔らかい創傷、保護材を素材とし、中層部は吸収液の保持力のある素材とし、地面あるいは床と接する下層部は吸収液が外部へ漏たり、また、外部からの浸水を防ぐ素材とすることを特徴とする請求項１の犬等の肉球創傷被覆カバー。
【請求項３】
前記被覆カバーの足背部を中央から左右に開き、足挿入後、左右から合わせてマジックテープで固定し、足首に包帯を巻いてマジックテープで固定する構造としたことを特徴とする請求項１、請求項２の犬等の肉球創傷被覆カバー。
【発明の詳細な説明】
【技術分野】
【０００１】  本発明は、犬等の肉球に対して創傷や病症などにより、外科的処置や継続治療が必要とする場合に、犬等の肉球の保護と早期完治、二次感染防止のため、犬等の足に履かせせる犬等の肉球創傷被覆カバーである。
【背景技術】
【０００２】  近年、犬等を飼う家庭が増えている中で、犬等の病気に対しても様々な問題点が飼い主を悩ませているが、最も多く聞かれるのは肉球のトラブルである。【０００３】  たとえば、屋外での散歩時には火傷、凍傷、切り傷、硬化によるひび割れなど、屋内にしてもハウスダストアレルギー、ダニによる皮膚病が増えている。【０００４】  前記の事より動物病院に連れて行き外科的処置の消毒や、軟膏の継続治療などを施してもらい、飼い主が毎日消毒や軟膏の塗布をしなければならなく、軟膏を塗った足で歩き周り床や家具など汚たり、犬等の肉球自体にもゴミや雑菌などが付着しやすく、尚且つ排泄時の汚染も考えると二次感染を起こすことがある。【０００５】  本来、犬等は履物を履いて走り回る動物ではなく、４本の足に靴や靴下を履かせる事は大変なストレスを犬等に与えることになり、自然体のままで過せる事が望ましいが、アスファルトの路面が増え、数々のアレルギー要素が発症している事から、犬等の肉球に対してダメージは減少することはない。【０００６】  動物用保護用具として、特許文献１、２に記載のものが公知である。【０００７】  特許文献１は、動物の首回りに付ける円錐状のカラーで、頭部全体を囲むように装着し噛む、舐めるなどの予防ができる。【０００８】  特許文献２は、犬用履物に関して公開されているが、外出の際に犬の足に履かせる履物であり、歩行時の足の保護、火傷などの予防を目的としたものである。
【先行技術文献】
【特許文献１】特開２０１１−１３０６４８
【特許文献２】特開２００９−１２４９５９
【発明の概要】
【発明が解決しようとする課題】
【０００９】  前述の通り、犬等の肉球が創傷、病症した場合において、直接肉球を保護し創傷部を覆う物はなく、従来の靴下では炎症による浸湿液や血液などの吸収はできず、二次感染の予防も不完全であり、履かせにくい。
【課題を解決するための手段】
【００１０】  上記課題を解決するために、請求項１の発明は創傷や病症がある犬等の肉球に対して足部全体を包みこむ被覆カバー部２と、被覆カバー部２を固定すべく足首に包帯を設け被覆カバー部２に包帯部１を取り付け履物状に一体化とし、被覆カバー部２の足底部２ａを多層構造とした。【００１１】  請求項２は、肉球があたる足底部２ａを三層構造とし、上層部Ａは創傷保護材、中層部Ｂは吸収材、下層部Ｃは漏洩、防水材を用いた構造とした。【００１２】  請求項３は、肉球に処置や軟膏塗布した直後、他に触れずに被覆カバー部２を履けるように、被覆カバー部２の足背部を中央から左右に分け足背部右側２ｂと足背部左側２ｃとし、犬等の足を挿入後中央に合わせマジックテープで固定し、包帯部１を足首に巻きマジックテープで固定するだけで飼い主一人でも簡単に装着できる。
【発明の効果】
【００１３】  本発明は、犬等の肉球に創傷や病症などが発症した場合、創部の清潔や軟膏の持続効果により早期に完治することができ尚且つ二次感染の防止に役立ち簡単に装着できる。
【図面の簡単な説明】
【００１４】
【図１】犬等の肉球創傷被覆カバーの斜視図
【図２】足底部の断面図
【図３】被覆カバー部の分解図
【図４】被覆カバー部の完成図
【図５】被覆カバー部と包帯部の縫製図
【図６】犬等の肉球創傷被覆カバーを犬の足に履かせる時の図
【図７】包帯部を犬の足に巻きつけ固定している時の図
【発明を実施するための形態】
【００１５】  本発明の実施例を図１〜図７参照して説明する。
【実施例】
【００１６】  図１は、犬等の肉球創傷被覆カバーの斜視図となり、足部全体を包みこむ被覆カバー部２と被覆カバー２を固定すべく包帯部１であり、被覆カバー部、包帯部を固定するマジックテープ３である。【００１７】  図２は、被覆カバー部２足底部２ａであり、創傷した肉球が直接触れるため創傷、被覆材を使用し三層構造とした。【００１８】  足底部２ａの上層部Ａは創傷被覆材として、血液、浸湿液などを素早く吸収し柔らかくサラッとした感触のある素材、不織布、メッシュ状の樹脂シートなどを使用し、中層部Ｂは吸収材とし、吸収後の液戻りがなく保持力のある素材、綿状パルプ、高吸収水性高分子ポリマーなどを使用し、下層部Ｃは防漏、防水材として中層部Ｂからの漏れや外部からの浸水が防げる素材、不織布、ビニールシート、フイルムなどを使用した素材、Ａ，Ｂ、Ｃを重ね合わせた三層構造である。【００１９】  図３は、被覆カバー部２の分解図で足底部２ａと、足背部右側２ｂと足背部左側２ｃの三面を合わせ、足背部右側２ｂと足背部左側２ｃの重複部４を作る事で、爪の突出や足先の露出を避けることができ、足底部２ａの踵部Ｄを三角に角度を付けることにより踵部に余裕ができる。【００２０】  足背部右側２ｂと足背部左側２ｃの素材には、厚手で柔らかく、撥水性のある不織布などを使用する。【００２１】  図４は、足底部２ａ、足背部右側２ｂ、足背部左側２ｃを重ね合わせた被覆カバー部２の完成図であるが、接合部５は熱接着（ヒートシーラ）を使用する事で漏洩、浸水の防止ができる。【００２２】  図５は、図１の包帯部１と被覆カバー部２の縫製部６を示した図で、包帯部１の素材を伸縮性包帯（綿糸＋ポリウレタン系合成繊維）を使用することで、縫製時に包帯部１を引き伸ばしながら被覆カバー部２に取り付けていき包帯部１が縮むことにより、装着時に犬等の足首にフィットし犬等が足を振っても抜けにくくなる。【００２３】  また、包帯部１の幅は伸縮性包帯のため巻き込む際に調整することができ、包帯部１のマジックテープ３の位置は犬等の足首の太さに合わせて付ける。【００２４】  図６は、犬等の足部を被覆カバー部２に挿入する時の図【００２５】  図７は、犬等の足首に包帯部１を引き伸ばしながら巻いている図
【符号の説明】
【００２６】  １・・・包帯部    ２・・・被覆カバー部    ２ａ・・・足底部
２ｂ・・・足背部右側    ２ｃ・・・足背部左側      ３・・・マジックテープ
４・・・足背部左右の重複部    ５・・・熱接着部    ６・・・縫製部
Ａ・・・上層部    Ｂ・・・中層部    Ｃ・・・下層部    Ｄ・・・踵部
【図１】
2015149983.tif 000003
【図２】
2015149983.tif 000004
【図３】
2015149983.tif 000005
【図４】
2015149983.tif 000006
【図５】
2015149983.tif 000007
【図６】
2015149983.tif 000008
【図７】
2015149983.tif 000009
【手続補正書】
【提出日】平成26年6月25日(2014.6.25)
【手続補正１】
【補正対象書類名】特許請求の範囲
【補正対象項目名】全文
【補正方法】変更
【補正の内容】
【特許請求の範囲】
【請求項１】
犬等の動物の足の肉球に創傷、病症があり、肉球を保護し被覆する被覆カバーにおいて、該動物の肉球が床あるいは地面に接する被覆カバーの足底部を多層構造とし、該被覆カバーを固定すべく足首部に包帯を設け、肉球部から足首までを包み込むように履物状にして多層足底部と足首部の包帯を一体化させ、被覆カバーの足背部を中央から左右に開き、足挿入後、左右から合わせてマジックテープで固定し、足首に包帯を巻いて固定する構造としたことを特徴とする犬等の肉球創傷被覆カバー。
【請求項２】
前記肉球が、肉球が当たる足底部を三層構造とし、肉球が接する上層部を血液、浸湿液を吸収する柔らかい創傷、保護材を素材とし、中層部は吸収液の保持力のある素材とし、地面あるいは床と接する下創部は吸収液が外部へ漏たりまた、外部からの浸水を防ぐ素材とすることを特徴とする請求項１の犬等の肉球創傷被覆カバー。